【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
ダウンリンク送信を受信することと、
シングルトーン確認応答（ＡＣＫ）と復調基準信号（ＤＭ−ＲＳ）とを備えるアップリンク送信を送信することと、ここにおいて、前記アップリンク送信は、時間拡散を使用するＡＣＫチャネル上の帯域幅のシングルトーンを備え、前記送信は、ＤＭ−ＲＳシンボルに対する３の拡散率と直交カバーコードとに基づいて、７つのシンボルの期間あたり３つの前記ＤＭ−ＲＳシンボルを含む、
を備える、方法。
【請求項２】
前記ワイヤレス通信は、ナローバンドワイヤレス通信を備える、請求項１に記載の方法。
【請求項３】
複数のユーザは、時間ドメイン中で複数のシンボルを横切る（cross）異なる直交カバーコードと符号分割多重化される、請求項１に記載の方法。
【請求項４】
前記送信は、データシンボルに対して２または４の拡散率を含む、請求項１に記載の方法。
【請求項５】
前記直交カバーコードは、前記ＤＭ−ＲＳシンボルの拡散を行い、前記直交カバーコードは、セル固有パラメータおよび３の前記拡散率の関数である、請求項１に記載の方法。
【請求項６】
前記送信は、データシンボルに対して１の拡散率を含む、請求項１に記載の方法。
【請求項７】
前記送信は、複数のサブフレームにわたってカバーコードホッピングを使用して送信される、請求項１に記載の方法。
【請求項８】
前記送信は、スロットベースの周波数ホッピングを伴わずに送信される、請求項１に記載の方法。
【請求項９】
前記送信は、スロットベースの周波数ホッピングを使用して送信される、請求項１に記載の方法。
【請求項１０】
前記ＡＣＫは、サブフレーム中に等しい数のデータシンボルと基準信号（ＲＳ）シンボルとを有する前記シングルトーン内で送信される、請求項１に記載の方法。
【請求項１１】
前記ＲＳシンボルに対する前記データシンボルの配置は、前記サブフレーム中の前記シングルトーン内で任意であり、
前記データシンボルとＲＳとは、スロットベースの周波数ホッピングを伴わずに送信される、請求項１０に記載の方法。
【請求項１２】
前記ＡＣＫチャネルを物理アップリンク共有チャネル（ＰＵＳＣＨ）と多重化すること
をさらに備える、請求項１に記載の方法。
【請求項１３】
前記ＡＣＫチャネルと前記ＰＵＳＣＨとは、サブフレーム内で周波数においてホッピングする、請求項１２に記載の方法。
【請求項１４】
前記ＡＣＫチャネルと前記ＰＵＳＣＨとは、サブフレーム内で周波数において連続的である、請求項１２に記載の方法。
【請求項１５】
前記ＡＣＫチャネルは、エッジトーン間でホッピングし、前記ＰＵＳＣＨは、前記エッジトーン間の残りのトーンを占有するか、または前記ＰＵＳＣＨは、エッジトーン間でホッピングし、前記ＡＣＫチャネルは、前記エッジトーン間で残りのトーンを占有する、請求項１２に記載の方法。
【請求項１６】
前記ＡＣＫチャネルのバンドリングサイズに基づいてタイミング調整タイマを調整すること
をさらに備える、請求項１２に記載の方法。
【請求項１７】
前記ダウンリンク送信に関連付けられた否定応答（ＮＡＣＫ）を送信すること
をさらに備える、請求項１に記載の方法。
【請求項１８】
前記ＮＡＣＫは、第２のチャネルを使用して送信される、請求項１７に記載の方法。
【請求項１９】
前記ＮＡＣＫは、オン／オフ構成を使用して送信される、請求項１７に記載の方法。
【請求項２０】
スケジューリング要求（ＳＲ）が前記ＮＡＣＫと同時に送信されることになるか、またはＡＣＫと同時に送信されることになるかに基づいて前記ＮＡＣＫまたは前記ＡＣＫの前記送信用のリソースを選択すること
をさらに備える、請求項１７に記載の方法。
【請求項２１】
前記選択されたリソースがそこから選択されるリソースのグループは、同じチャネル構造と、異なるトーン、異なるシーケンス、または異なるカバーコードのうちの少なくとも１つとを備え、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、請求項２０に記載の方法。
【請求項２２】
前記選択されたリソースがそこから選択されるリソースのグループは、異なるチャネル構造を備え、前記リソースは、前記送信が前記ＮＡＣＫのためのものであるか、あるいは前記ＮＡＣＫまたは前記ＡＣＫとともに前記ＳＲのためのものであるかに依存して選択される、請求項２０に記載の方法。
【請求項２３】
前記リソースの各々は、シングルトーンを備える、請求項２２に記載の方法。
【請求項２４】
前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の前記拡散率が前記ＲＳに対して使用され、４の拡散率が前記ＡＣＫまたはＮＡＣＫに対して使用される、請求項２０に記載の方法。
【請求項２５】
前記方法は、ユーザ機器（ＵＥ）によって実行され、前記方法は、
前記ＵＥが物理アップリンク共有チャネル（ＰＵＳＣＨ）上での送信用のデータを有するかどうかを決定することと、
前記ＵＥが前記ＰＵＳＣＨ上での送信用のデータを有するときに、前記ＰＵＳＣＨ上で前記ＡＣＫおよび第２のＮＡＣＫのうちの１つを送信することと
をさらに備える、請求項１に記載の方法。
【請求項２６】
前記方法は、ユーザ機器（ＵＥ）によって実行され、前記方法は、
前記ＵＥがＰＵＳＣＨ上での送信用のデータを有するかどうかを決定することと、
前記ＵＥが送信用のデータを有さないときに、前記ＡＣＫを送信することを控えることと
をさらに備える、請求項１に記載の方法。
【請求項２７】
物理アップリンク共有制御チャネル（ＰＵＳＣＨ）上で前記ＡＣＫを送信すること
をさらに備える、請求項１に記載の方法。
【請求項２８】
前記ＡＣＫは、多くとも２ビットを備え、前記方法は、
前記ＰＵＳＣＨ上での送信のために複数のＡＣＫをともにグループ化すること
をさらに備える、請求項２７に記載の方法。
【請求項２９】
物理レイヤＡＣＫを送信することなしに、上位レイヤ送信を介してＡＣＫを通信すること
をさらに備える、請求項１に記載の方法。
【請求項３０】
ＡＣＫを送信するというインジケーションが受信されるまで、前記ダウンリンク送信に関連付けられた少なくとも１つのＡＣＫを送信することを控えること
をさらに備える、請求項１に記載の方法。
【請求項３１】
ＡＣＫを送信するというインジケーションを発展型ノードＢ（ｅＮＢ）から受信することと、
ＰＵＳＣＨ上で前記ｅＮＢにＡＣＫに関して送信することと
をさらに備える、請求項３０に記載の方法。
【請求項３２】
ＡＣＫを送信するという前記インジケーションは、ワイヤレス通信が前記ｅＮＢから成功裏に受信されたかどうかを前記ＵＥが示すべき期間を示す、請求項３１に記載の方法。
【請求項３３】
ワイヤレス通信のための装置であって、
ダウンリンク送信を受信するための手段と、
シングルトーン確認応答（ＡＣＫ）と復調基準信号（ＤＭ−ＲＳ）とを備えるアップリンク送信を送信するための手段と、ここにおいて、前記アップリンク送信は、時間拡散を使用するＡＣＫチャネル上の帯域幅のシングルトーンを備え、前記送信は、ＤＭ−ＲＳシンボルに対する３の拡散率と直交カバーコードとに基づいて、７つのシンボルの期間あたり３つの前記ＤＭ−ＲＳシンボルを含む、
を備える、装置。
【請求項３４】
複数のユーザは、時間ドメイン中で複数のシンボルを横切る異なる直交カバーコードと符号分割多重化される、請求項３３に記載の装置。
【請求項３５】
前記送信は、複数のサブフレームにわたってカバーコードホッピングを使用して送信される、請求項３３に記載の装置。
【請求項３６】
前記送信は、スロットベースの周波数ホッピングを伴わずに送信される、請求項３３に記載の装置。
【請求項３７】
前記ＡＣＫチャネルを物理アップリンク共有チャネル（ＰＵＳＣＨ）と多重化するための手段
をさらに備える、請求項３３に記載の装置。
【請求項３８】
前記ＰＵＳＣＨと多重化された前記ＡＣＫチャネルのバンドリングサイズに基づいてタイミング調整タイマを調整するための手段
をさらに備える、請求項３７に記載の装置。
【請求項３９】
前記送信するための手段は、前記ダウンリンク送信に関連付けられた否定応答（ＮＡＣＫ）を送信する、請求項３３に記載の装置。
【請求項４０】
前記送信するための手段は、スケジューリング要求（ＳＲ）が前記ＮＡＣＫと同時に送信されることになるか、またはＡＣＫと同時に送信されることになるかに基づいて前記ＮＡＣＫまたは前記ＡＣＫの前記送信用のリソースを選択し、前記リソースの各々は、シングルトーンを備え、
前記選択されたリソースがそこから選択されるリソースのグループは、
同じチャネル構造と、異なるトーン、異なるシーケンス、または異なるカバーコードのうちの少なくとも１つと、ここにおいて、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、または、
異なるチャネル構造、ここにおいて、前記リソースは、前記送信が前記ＮＡＣＫのためのものであるか、あるいは前記ＮＡＣＫまたは前記ＡＣＫとともに前記ＳＲのためのものであるかに依存して選択される、
を備える、請求項３９に記載の装置。
【請求項４１】
前記送信するための手段は、スケジューリング要求（ＳＲ）が前記ＮＡＣＫと同時に送信されることになるか、またはＡＣＫと同時に送信されることになるかに基づいて前記ＮＡＣＫまたは前記ＡＣＫの前記送信用のリソースを選択し、前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、請求項３９に記載の装置。
【請求項４２】
前記送信するための手段は、ＵＥが物理アップリンク共有チャネル（ＰＵＳＣＨ）上での送信用のデータを有するかどうかを決定し、前記装置が前記ＰＵＳＣＨ上での送信用のデータを有するときに、前記ＰＵＳＣＨ上で前記ＡＣＫおよび第２のＮＡＣＫのうちの１つを送信し、前記装置が送信用のデータを有さないときに、前記ＡＣＫを送信することを控える、請求項３３に記載の装置。
【請求項４３】
前記送信するための手段は、物理アップリンク共有制御チャネル（ＰＵＳＣＨ）上で前記ＡＣＫを送信する、請求項３３に記載の装置。
【請求項４４】
前記ＡＣＫは、多くとも２ビットを備え、前記送信するための手段は、前記ＰＵＳＣＨ上での送信のために複数のＡＣＫをともにグループ化する、請求項４３に記載の装置。
【請求項４５】
前記送信するための手段は、ＡＣＫを送信するというインジケーションが受信されるまで、前記ダウンリンク送信に関連付けられた少なくとも１つのＡＣＫを送信することを控える、請求項３３に記載の装置。
【請求項４６】
ＡＣＫを送信するというインジケーションを発展型ノードＢ（ｅＮＢ）から受信するための手段、ここにおいて、前記送信するための手段は、前記インジケーションを受信することに応答して、前記ＰＵＳＣＨ上で前記ｅＮＢにＡＣＫに関して送信する、
をさらに備える、請求項４５に記載の装置。
【請求項４７】
前記直交カバーコードは、前記ＤＭ−ＲＳシンボルを拡散し、前記直交カバーコードは、セル固有パラメータおよび３の前記拡散率の関数である、請求項２８に記載の装置。
【請求項４８】
ワイヤレス通信のための装置であって、
メモリと、
前記メモリに結合され、
ダウンリンク送信を受信することと、
シングルトーン確認応答（ＡＣＫ）と復調基準信号（ＤＭ−ＲＳ）とを備えるアップリンク送信を送信することと、ここにおいて、前記アップリンク送信は、時間拡散を使用するＡＣＫチャネル上の帯域幅のシングルトーンを備え、前記送信は、ＤＭ−ＲＳシンボルに対する３の拡散率と直交カバーコードとに基づいて、７つのシンボルの期間あたり３つの前記ＤＭ−ＲＳシンボルを含む、
を行うように構成された少なくとも１つのプロセッサと
を備える、装置。
【請求項４９】
複数のユーザは、時間ドメイン中で複数のシンボルを横切る異なる直交カバーコードと符号分割多重化される、請求項４８に記載の装置。
【請求項５０】
前記送信は、複数のサブフレームにわたってカバーコードホッピングを使用して送信される、請求項４８に記載の装置。
【請求項５１】
前記送信は、スロットベースの周波数ホッピングを伴わずに送信される、請求項４８に記載の装置。
【請求項５２】
前記少なくとも１つのプロセッサは、
前記ＡＣＫチャネルを物理アップリンク共有チャネル（ＰＵＳＣＨ）と多重化すること
を行うようにさらに構成される、請求項４８に記載の装置。
【請求項５３】
前記少なくとも１つのプロセッサは、
前記ＰＵＳＣＨと多重化された前記ＡＣＫチャネルのバンドリングサイズに基づいてタイミング調整タイマを調整すること
を行うようにさらに構成される、請求項５２に記載の装置。
【請求項５４】
前記少なくとも１つのプロセッサは、
前記ダウンリンク送信に関連付けられた否定応答（ＮＡＣＫ）を送信すること
を行うようにさらに構成される、請求項４８に記載の装置。
【請求項５５】
前記少なくとも１つのプロセッサは、
スケジューリング要求（ＳＲ）が前記ＮＡＣＫと同時に送信されることになるか、またはＡＣＫと同時に送信されることになるかに基づいて前記ＮＡＣＫまたは前記ＡＣＫの前記送信用のリソースを選択すること、ここにおいて、前記リソースの各々は、シングルトーンを備え、
前記選択されたリソースがそこから選択されるリソースのグループは、
同じチャネル構造と、異なるトーン、異なるシーケンス、または異なるカバーコードのうちの少なくとも１つと、ここにおいて、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、または、
異なるチャネル構造、ここにおいて、前記リソースは、前記送信が前記ＮＡＣＫのためのものであるか、あるいは前記ＮＡＣＫまたは前記ＡＣＫとともに前記ＳＲのためのものであるかに依存して選択される、
を備える、
を行うようにさらに構成される、請求項５４に記載の装置。
【請求項５６】
前記少なくとも１つのプロセッサは、
スケジューリング要求（ＳＲ）が前記ＮＡＣＫと同時に送信されることになるか、または前記ＡＣＫと同時に送信されることになるかに基づいて前記ＮＡＣＫまたは前記ＡＣＫの前記送信用のリソースを選択すること、ここにおいて、前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、
を行うようにさらに構成される、請求項５４に記載の装置。
【請求項５７】
前記少なくとも１つのプロセッサは、
ＵＥが物理アップリンク共有チャネル（ＰＵＳＣＨ）上での送信用のデータを有するかどうかを決定することと、
前記装置が前記ＰＵＳＣＨ上での送信用のデータを有するときに、前記ＰＵＳＣＨ上で前記ＡＣＫおよび第２のＮＡＣＫのうちの１つを送信することと、
前記装置が送信用のデータを有さないときに、前記ＡＣＫを送信することを控えることと
を行うようにさらに構成される、請求項４８に記載の装置。
【請求項５８】
前記少なくとも１つのプロセッサは、
物理アップリンク共有制御チャネル（ＰＵＳＣＨ）上で前記ＡＣＫを送信すること
を行うようにさらに構成される、請求項４８に記載の装置。
【請求項５９】
前記ＡＣＫは、多くとも２ビットを備え、前記少なくとも１つのプロセッサは、
前記ＰＵＳＣＨ上での送信のために複数のＡＣＫをともにグループ化すること
を行うようにさらに構成される、請求項５８に記載の装置。
【請求項６０】
前記少なくとも１つのプロセッサは、
ＡＣＫを送信するというインジケーションが受信されるまで、前記ダウンリンク送信に関連付けられた少なくとも１つのＡＣＫを送信することを控えること
を行うようにさらに構成される、請求項４８に記載の装置。
【請求項６１】
前記少なくとも１つのプロセッサは、
ＡＣＫを送信するというインジケーションを発展型ノードＢ（ｅＮＢ）から受信することと、
前記インジケーションを受信することに応答して、前記ＰＵＳＣＨ上で前記ｅＮＢにＡＣＫに関して送信することと
を行うようにさらに構成される、請求項６０に記載の装置。
【請求項６２】
前記直交カバーコードは、前記ＤＭ−ＲＳシンボルを拡散し、前記直交カバーコードは、セル固有パラメータおよび３の前記拡散率の関数である、請求項４８に記載の装置。
【請求項６３】
コンピュータ実行可能コードを記憶するコンピュータ可読媒体であって、
ダウンリンク送信を受信することと、
シングルトーン確認応答（ＡＣＫ）と復調基準信号（ＤＭ−ＲＳ）とを備えるアップリンク送信を送信することと、ここにおいて、前記アップリンク送信は、時間拡散を使用するＡＣＫチャネル上の帯域幅のシングルトーンを備え、前記送信は、ＤＭ−ＲＳシンボルに対する３の拡散率と直交カバーコードとに基づいて、７つのシンボルの期間あたり３つの前記ＤＭ−ＲＳシンボルを含む、
を行うためのコードを備える、コンピュータ可読媒体。
【請求項６４】
複数のユーザは、時間ドメイン中で複数のシンボルを横切る異なる直交カバーコードと符号分割多重化される、請求項６３に記載のコンピュータ可読媒体。
【請求項６５】
前記送信は、複数のサブフレームにわたってカバーコードホッピングを使用して送信される、請求項６３に記載のコンピュータ可読媒体。
【請求項６６】
前記送信は、スロットベースの周波数ホッピングを伴わずに送信される、請求項６３に記載のコンピュータ可読媒体。
【請求項６７】
前記ＡＣＫは、物理アップリンク共有制御チャネル（ＰＵＳＣＨ）上で送信される、請求項６３に記載のコンピュータ可読媒体。
【請求項６８】
前記ＡＣＫチャネルを物理アップリンク共有チャネル（ＰＵＳＣＨ）と多重化すること
を行うためのコードをさらに備える、請求項６３に記載のコンピュータ可読媒体。
【請求項６９】
前記直交カバーコードは、前記ＤＭ−ＲＳシンボルを拡散し、前記直交カバーコードは、セル固有パラメータおよび３の前記拡散率の関数である、請求項６３に記載のコンピュータ可読媒体。